(57)【要約】      （修正有）【課題】簡便な構造でありながら、様々な形状の肛門鏡に着脱自在もしくは一体化容易な直腸・肛門用診察装置を提供する。【解決手段】ハンドル部２１を有する肛門鏡２と、カメラ固定具３と、カメラ４と、光源５とを備え、カメラ固定具３は、ハンドル固定部３ａと、アーム部３ｂと、カメラ固定部３ｃとを有しており、肛門鏡２のハンドル部２１にハンドル固定部３ａを介してカメラ固定具３が取り付けられ、カメラ固定部３ｃには、カメラ４および光源５が取り付けられており、該カメラ４および光源５により直腸・肛門の患部を観察、撮影可能とする。【選択図】図１
0003207467.tif 000002
【実用新案登録請求の範囲】
【請求項１】
ハンドル部を有する肛門鏡と、カメラ固定具と、カメラと、光源とを備える直腸・肛門用診察装置であって、
前記カメラ固定具は、ハンドル固定部と、アーム部と、カメラ固定部とを有しており、
前記肛門鏡のハンドル部に前記ハンドル固定部を介して前記カメラ固定具が取り付けられ、前記カメラ固定部には、前記カメラおよび光源が取り付けられており、該カメラおよび光源により直腸・肛門の患部を観察、撮影可能とすることを特徴とする直腸・肛門用診察装置。
【請求項２】
前記カメラ固定具の前記ハンドル固定部が、押しばねを有するクリップ状であることを特徴とする請求項１に記載の直腸・肛門用診察装置。
【請求項３】
前記カメラ固定具が、前記アーム部によって回動自在とされていることを特徴とする請求項１に記載の直腸・肛門用診察装置。
【請求項４】
前記カメラの接続ケーブルのカメラ側とは反対側の端部に、直腸・肛門の患部の画像および映像を表示可能な表示装置、および前記カメラおよび光源に電力供給可能な電源と、直腸・肛門の患部の画像および映像を記録可能な記録媒体を有する演算装置が電気的に接続されていることを特徴とする請求項１から３のいずれか一項に記載の直腸・肛門用診察装置。
【考案の詳細な説明】
【技術分野】
【０００１】
本考案は、痔の治療等の際に、肛門に挿入して患部の観察等に使用する肛門鏡に装着もしくは一体化されている直腸・肛門用診察装置に関するものである。
【背景技術】
【０００２】
肛門鏡は、痔の治療等の際に患者の肛門に挿入して、患部の観察等に使用する医療器具である。近年では、患者自身に対し病状を正確に伝えるインフォームドコンセントの観点や、カルテの電子化にともない患部の画像または動画をデジタルデータとして記録する観点から、患部を撮影することがしばしば行われている。従来、このような撮影においては、光源とカメラ、そして肛門鏡は、それぞれ独立した機器、器具として使用されていたため、コンパクト感に欠けるとともに、光源およびカメラの電源ケーブルや記録用のコンピューターとの接続用ケーブル等が絡むなどして、医師や検査技師の手元の作業の邪魔になるという問題があった。そこで、このような問題点を解決するための方策として、これまでに、肛門鏡と光源、カメラが一体化された直腸・肛門用診察装置が提案されている（例えば、特許文献１参照）。
【０００３】
特許文献１の直腸・肛門用診察装置は、カメラと、肛門鏡に相当する挿入用外套管と、内套管および照明用套管を備えており、外套管の内部空間に、内套管を挿入し、さらにこの内套管の内部空間に照明用套管を挿入し、この照明用套管の作業者側の端部にカメラを取り付ける構造を有している。この直腸・肛門用診察装置では、挿入用外套管を患者の肛門に挿入した後に、外套管の前端楕円部の割れ目を開くことにより、患者の患部の観察、撮影が可能とされている。
【０００４】
しかしながら、特許文献１の直腸・肛門用診察装置では、部品点数が多く、使用後の殺菌洗浄工程が煩雑になり、維持コストが高く、しかも前端に開閉自在の割れ目を備えた専用の外套管を用いる必要があることから、既存の肛門鏡全般に対し、内套管、照明用套管およびカメラを取り付けることは難しく、導入コストも高いという問題があった。
【先行技術文献】
【特許文献】
【０００５】
【特許文献１】特開２００４−１０５６７０号公報
【考案の概要】
【考案が解決しようとする課題】
【０００６】
本考案は、以上のとおりの事情に鑑みてなされたものであり、簡便な構造でありながら、様々な形状や構造の肛門鏡に着脱自在もしくは一体化容易な直腸・肛門用診察装置を提供することを課題としている。
【課題を解決するための手段】
【０００７】
本考案の直腸・肛門用診察装置は、上記のとおりの課題を解決するために、走査用のハンドル部を有する肛門鏡と、カメラ固定具と、カメラと、光源とを備える直腸・肛門用診察装置であって、前記カメラ固定具は、ハンドル固定部と、アーム部と、カメラ固定部とを有しており、前記肛門鏡のハンドル部に前記ハンドル固定部を介して前記カメラ固定具が取り付けられ、前記カメラ固定部には、前記カメラおよび光源が取り付けられており、該カメラおよび光源により直腸・肛門の患部を観察、撮影可能とすることを特徴としている。
【０００８】
また、本考案の直腸・肛門用診察装置においては、前記カメラ固定具の前記ハンドル固定部が、押しばねを有するクリップ状であることが好ましく考慮される。
【０００９】
さらに、本考案の直腸・肛門用診察装置においては、前記カメラ固定具が、前記アーム部によって回動自在とされていることが好ましく考慮される。
【００１０】
また、本考案の直腸・肛門用診察装置においては、前記カメラの接続ケーブルのカメラ側とは反対側の端部に、直腸・肛門の患部の画像および映像を表示可能な表示装置、および前記カメラおよび光源に電力供給可能な電源と、直腸・肛門の患部の画像および映像を記録可能な記録媒体を有する演算装置が電気的に接続されていることが好ましく考慮される。
【考案の効果】
【００１１】
本考案によれば、簡便な構造でありながら、様々な形状や構造の肛門鏡に着脱自在もしくは一体化容易な直腸・肛門用診察装置を実現することができる。
【図面の簡単な説明】
【００１２】
【図１】本考案の直腸・肛門用診察装置の一実施形態を示した概略斜視図である。
【図２】図１の直腸・肛門用診察装置のカメラ固定具の概略断面図である。図１のＡ−Ａ’断面における断面図を示している。
【図３】本考案の直腸・肛門用診察装置の別の一実施形態を示した概略斜視図である。
【図４】（ａ）（ｂ）は、図３の直腸・肛門用診察装置の肛門鏡の略開放状態と略閉鎖状態をそれぞれ示した概要断面図である。
【考案を実施するための形態】
【００１３】
以下に図面にもとづいて、本考案の直腸・肛門用診察装置について詳細に説明する。
【００１４】
図１は、本考案の直腸・肛門用診察装置の一実施形態を示した概略斜視図である。
【００１５】
直腸・肛門用診察装置１は、ハンドル部を有する肛門鏡２と、カメラ固定具３と、カメラ４と、光源５とを備える直腸・肛門用診察装置であって、カメラ固定具３は、ハンドル固定部３ａと、アーム部３ｂと、カメラ固定部３ｃとを有している。直腸・肛門用診察装置１は、肛門鏡２のハンドル部２１にハンドル固定部３ａを介してカメラ固定具３が取り付けられ、カメラ固定部３ｃには、カメラ４および光源５が取り付けられており、該カメラおよび光源により直腸・肛門の患部を観察、撮影可能とすることを特徴としている。
【００１６】
本実施形態の直腸・肛門用診察装置１における肛門鏡２は、図１に示すように、肛門に挿入するのに適した小径の先端開口部２２と、カメラ撮影に適した大径の後端開口部２３とを有する略ラッパ状の外筒部２ａを有している。また、肛門鏡２は、外筒部２ａの外周面の後端側に一本のハンドル部２１を有している。ハンドル部２１の断面形状は、略円形、略方形等様々な形状をとることが可能である。また、ハンドル部２１の表面には、その長手方向と平行な方向に、滑り止め用の凸条２１ａや凹溝が形成されることも好ましく考慮される。
【００１７】
このような肛門鏡２の材質としては、例えば、鋼材やステンレス鋼等が例示される。肛門鏡２が鋼材やステンレス鋼等から構成されている場合、オートクレーブ等の高温高圧条件下での滅菌が可能な装置を使用して、使用後の肛門鏡２を滅菌し、再利用することができる。
【００１８】
本実施形態の直腸・肛門用診察装置１においては、図１に示すように、断面Ｃ字状のハンドル固定部３ａと、アーム部３ｂと、断面Ｃ字状のカメラ固定部３ｃとを備えるカメラ固定具３が前記のとおりの肛門鏡２のハンドル部２１の任意の箇所に取り付けられている。
【００１９】
図２に示すように、カメラ固定部３の形状は、クリップ状の構造を有していることが好ましく考慮される。すなわち、カメラ固定部３では、一対の断面Ｃ字状のハンドル固定部３ａが対向配置され、ハンドル固定部３ａの外周面の一部からピンチ部３１が延設されている。それぞれのハンドル固定部３ａから延設されたピンチ部３１は、ハンドル固定部３ａと同様に一対のペアをなすように対向配置されており、ピンチ部３１の長さ方向の略中央部には、ヒンジ部３２が設けられている。また、ピンチ部３１の先端には、一対のつまみ部３３が対向配置されており、これらのつまみ部３３の間に押しばね３４が設けられている。つまみ部３３を図２中のα方向に接近させることにより、一対のハンドル固定部３ａが離間し、図２中のβ方向に広がる。このように、ピンチ部３１のつまみ部３３を操作することにより、ハンドル固定具３ａを肛門鏡２のハンドル部２１に着脱自在とすることができる。
【００２０】
ハンドル固定部３ａの内底面の形状は、角部を有していてもよいし、円弧状の曲面を有していてもよい。
【００２１】
ハンドル固定部３ａの外周面には、アーム部３ｂが設けられており、アーム部３ｂのハンドル固定部３ａ側とは反対の端部には、カメラ固定部３ｃが設けられている。
【００２２】
アーム部３は、肛門鏡２のハンドル部２１に固定具３を固定し、カメラ固定部３ｃにカメラ４を取り付けた際に、先端開口部の近傍に焦点が合うようにあらかじめ曲げ加工を施されていることが好ましく考慮される。また、アーム部３ｂとして、折り曲げることにより、フレキシブルに変形させることができる材料を用い、使用中に適宜アーム部３ｂの形状を変形させることも好ましく考慮される。
【００２３】
アーム部３ｂの材質としては、中実の棒状の金属材料や、中空の金属パイプなどが好ましく考慮される。
【００２４】
アーム部３ｂとハンドル固定部３ａとの接続方法は、特に制限されることはないが、図１に示した実施形態においては、アーム部３ｂとハンドル固定部３ａとが溶接固定されている。アーム部３ｂとハンドル固定部３ａとが溶接固定されている場合、カメラ固定具３の強度が向上するとともに、直腸・肛門用診察装置１の使用中にカメラ４の焦点が予期せぬ位置に移動してしまうことを抑制することができる。
【００２５】
カメラ固定部３ｃは中空の円筒状の部材の周壁面が、円筒の高さ方向に沿って周壁面の一部を切り片いており、断面Ｃ字状をなしている。この断面Ｃ字状のカメラ固定部３ｃの周壁面に囲まれた空間にカメラ４および光源５を挿通することにより、カメラおよび光源５の把持固定が可能となる。
【００２６】
このため、カメラ４の形状は、カメラ固定部３ｃの内径よりもわずかに内径の小さい円筒形であることが好ましく考慮される。
【００２７】
カメラ４としては、例えば、ＣＭＯＳカメラやＣＣＤカメラ等が例示されるが、解像度の高さ等を考慮するとＣＣＤカメラを用いることが好ましく考慮される。
【００２８】
カメラ４では、後端部から接続ケーブル４１が延長している。接続ケーブル４１のカメラ４側とは反対側の端部には、図中には示さないものの、直腸・肛門の患部の画像および映像を表示可能な表示装置と、カメラ４および光源５に電力供給可能な電源と、直腸・肛門の患部の画像および映像を記録可能な記録媒体を有する演算装置と電気的に接続されていることが好ましく考慮される。
【００２９】
このため、接続ケーブル４１は、直腸・肛門の患部の画像データあるいは動画データの転送用のみならず、カメラ４および光源５の電源ケーブルとしても機能することが望ましい。
【００３０】
また、カメラ４の電源スイッチやピント調節、シャッター等の各機構は、カメラ４本体に組み込まれていてもよいし、接続ケーブル４１を介してカメラ４本体と接続された操作盤に組み込まれていてもよい。
【００３１】
光源５としては、小型化および発熱量の低減を考慮すると、白熱球や蛍光灯よりもＬＥＤ照明を用いることが好ましく考慮される。
【００３２】
また、カメラ４と光源５とが一体化していてもよいし、カメラ４と光源５は互いに独立しており、例えば、光源５が発する光を、光ファイバーを介してカメラ４の近傍まで導光して患部を照明してもよい。
【００３３】
光源５の電源スイッチや光量の調節機構は、光源５本体に組み込まれていてもよいし、カメラ４１の接続ケーブル４１を介してカメラ４本体と接続された操作盤に組み込まれていてもよい。
【００３４】
このような構造を有する直腸・肛門用診察装置を用いることにより、簡便な構造でありながら、様々な形状や構造の肛門鏡に着脱自在もしくは一体化容易な直腸・肛門用診察装置を実現することができ、しかも、直腸・肛門の患部を簡便に撮影、録画して、画像データや映像データを診察情報として記録保存することも可能となる。
【００３５】
図３は、本考案の直腸・肛門用診察装置の別の一実施形態を示した概略斜視図である。
【００３６】
図３に示すように、本実施形態の直腸・肛門用診察装置１’における肛門鏡２’では、断面が弧状の一対の長尺片部２４が各々凹面部２５において対向配置され、一方の長縁部２６ａにおいて相互に蝶番部２７を介して連結され、蝶番部２７によって対向する長尺片部２４の他方の長縁部２６ｂが接近または離間が可能とされている。また、肛門鏡２’においては、各々の長尺片部２４は、長尺方向の先端部２８に向かって先細りとされ、長縁部２６ｂが接近する時には、対向する長尺片部２４によって先端部２８が略閉止状態となり、長尺方向の他方の端部には、前記の接近または離間を自在に操作可能とするハンドル部２１’が設けられている。
【００３７】
図３および図４に示すように、肛門鏡２’においては、長尺片部２４の一方の長縁部２６ａを支点として、長尺片部２４の長縁部２６ｂが接近又は離間可能とされている。図３および図４（ａ）に示すように、長尺片部２４の一方の端部から延設された一対のハンドル部２１’を図中の矢印γ方向へ近接操作することにより、長尺片部２４の長縁部２６ｂが離間し、長尺片部２４を略開放状態とすることができる。また、図４（ｂ）に示すように、長尺片部２４の一方の端部から延設された一対のハンドル部２１’を図中の矢印γ方向とは反対方向へ操作することにより、長尺片部２４の長縁部２６ｂが近接し、長尺片部２４を略閉鎖状態とすることができる。
【００３８】
このような肛門鏡２’の材質としては、例えば、鋼材、ステンレス鋼等が例示される。肛門鏡が鋼材、ステンレス鋼から構成されている場合、オートクレーブ等の高温高圧条件下での滅菌が可能な装置を使用して、使用後の肛門鏡を滅菌し、再利用することができる。
【００３９】
また、長尺片部２４は、断面が弧状であるが、一対の長尺片部２４が凹面部２５において対向配置された際に、断面形状がレモン型であってもよいし、楕円形あるいは真円形であってもよい。凹面部２５の断面形状は、上記の断面形状を二等分した弧状であることが好ましく考慮される。
【００４０】
このような構造を具備する肛門鏡２’においては、各々の長尺片部２４の先端部２８が丸みを帯びており、略閉止状態の長尺片部２４を患者の肛門にスムーズに挿入することができ、しかも挿入後にハンドル部２１’を図中の矢印γ方向へ操作することによって、長縁部２６ｂを離間させて、対向する長尺片部２４を略開放状態とし、患者の肛門内部の観察を容易とすることができる。
【００４１】
本実施形態の直腸・肛門用診察装置１’においては、図３に示すように、前記のとおりの肛門鏡２’のハンドル部２１’に、ハンドル固定部３ａ’と、アーム部３ａ’と、断面Ｃ字状のカメラ固定部３ｃ’とを備えるカメラ固定具３’が取り付けられている。
【００４２】
本実施形態においては、円筒状のハンドル固定部３ａ’の周壁面が、ハンドル部２１’にあらかじめ溶接されている。ハンドル固定部３ａ’の中空部に、アーム部３ａ’の一方の端部を挿通し、アーム部３ａ’のハンドル固定部３ａ’側とは反対側の端部に設けられた断面Ｃ字状のカメラ固定部３ｃ’にカメラ４および光源５を挿通して把持固定する。
【００４３】
アーム部３ａ’は、ハンドル固定部３ａ’の中空部に挿通されているに過ぎないため、図３中の矢印δに示すように回動自在とされている。これにより、必要に応じて、図中に二点鎖線で示した仮想線のように、カメラ４および光源５の位置を左右方向にスイングすることが可能となり、肛門鏡２’の形状と相まって、患部の広範囲を照明、撮影することが可能となる。
【００４４】
本考案の直腸・肛門用診察装置は、以上の実施形態によって限定されるものではない。例えば、肛門鏡の長尺片部、ハンドル部等の構成の細部は様々に可能である。
【符号の説明】
【００４５】
１、１’  直腸・肛門用診察装置
２、２’  肛門鏡
２ａ  外筒部
２１、２１’  ハンドル部
２１ａ  凸条
２２  先端開口部
２３  後端開口部
２４  長尺片部
２５  凹面部
２６ａ、２６ｂ  長縁部
２７  蝶番部
２８  先端部
３、３’  カメラ固定具
３ａ、３ａ’  ハンドル固定部
３ｂ、３ｂ’  アーム部
３ｃ、３ｃ’  カメラ固定部
３１  ピンチ部
３２  ヒンジ部
３３  つまみ部
４  カメラ
４１  接続ケーブル
５  光源
【図１】
0003207467.tif 000003
【図２】
0003207467.tif 000004
【図３】
0003207467.tif 000005
【図４】
0003207467.tif 000006